Podtech/llm-jp-corpus-v4-ja_patent huggingface dataset:
(57)【要約】      （修正有）【課題】地震や津波による原子炉建屋への被害を最小にする。また、建屋上部から原子炉を散水冷却することにより原発事故を防ぎ、外部への放射性物質の拡散を防止する。【解決手段】原子炉建屋を円柱形にして上部の冷却水貯蔵プールと下部の原子炉格納容器設置場所を一体型に構成して地下に建設することで、地震や津波による被害を最小限にする。原子炉建屋上部に冷却水貯蔵プールを設置することで、電源や設備が事故等により損傷して使用できなくなった場合でも建屋上部の冷却水貯蔵プールと建屋下部の原子炉格納容器との高低差を利用して冷却水を供給する。【選択図】図１
2012202988.tif 000002
【特許請求の範囲】
【請求項１】
原子炉建屋を円柱形にして地下に建設し、埋設することで地震や津波による事故を最少に防止する方法。
【請求項２】
上部に冷却水貯蔵プールを設置することで設備が事故等により損傷して使用できなくなった場合でも下部の原子炉建屋との落差を利用して冷却水を落下散水する慣性の作用を利用し、原子炉を冷却して原発事故を防ぎ外部への放射性物質の拡散を防止する方法。
【発明の詳細な説明】
【発明の詳細な説明】
（産業化の利用分野）
従来の技術は、地震と津波により福島原発で炉心部等の冷却作業が難航した結果、水素が発生し爆発を起こして原子炉建屋が崩壊し、放射性物質が拡散する事故が発生した。新しい手段として原子炉建屋を円柱形に建設することで地震が起こす周囲の外壁にかかる圧力に耐えることが可能になり、建屋上部から原子炉を散水冷却することにより原発事故を防ぎ、外部への放射性物質の拡散を防止することを目的とする。
（作用）
建屋上部に水を貯める空間を造り、バルブを開くことで下部の原子炉や建屋内部を機械の使用がなくても水圧で冷却することが可能である。
【発明の効果】
放射性物質の漏出事故で新しく原子力発電所を建設することが困難になるが安全に冷却できることで安心に発電所を建設して利用できる効果がある。
【図面の簡単な説明】１  出入り口    ２  マンホール    ３  プール    ４  原子炉格納容器設置場所    ５  エレベータースペース    ６  階段    ７  設備スペース    ８  原子炉建屋躯体    ９  地面
2012202988.tif 000003
【手続補正書】
【提出日】平成24年4月6日(2012.4.6)
【手続補正１】
【補正対象書類名】特許請求の範囲
【補正対象項目名】全文
【補正方法】変更
【補正の内容】
【特許請求の範囲】
【請求項１】
原子炉建屋を円柱形にして上部の冷却水貯蔵プールと下部の原子炉格納容器設置場所を一体型に構成して地下に建設することで地震や津波による事故を最少に防止する方法。
【請求項２】
原子炉建屋上部に冷却水貯蔵プールを設置することで電源や設備が事故等により損傷して使用できなくなった場合でも建屋上部の冷却水貯蔵プールと建屋下部の原子炉格納容器との高低差を利用し、重力を動力として冷却水を供給し、原子炉等を冷却して原発事故を防ぎ外部への放射性物質の拡散を防止する方法。
【手続補正２】
【補正対象書類名】明細書
【補正対象項目名】全文
【補正方法】変更
【補正の内容】
【発明の詳細な説明】
【技術分野】
【０００１】原子炉格納容器の冷却方法であり、事故等により電源が喪失した場合や水道本管が損傷して使用できなくなった場合でも非常用マンホールから原子炉建屋上部の冷却水貯蔵プールに冷却水を供給し、重力を動力として原子炉建屋下部の原子炉格納容器および使用済み核燃料プールへ冷却水を送る冷却方法。
【背景技術】
【０００２】原子炉格納容器冷却設備は、ポンプの駆動などにより強制循環して冷却水を供給している。
【先行技術文献】
【特許文献】
【０００３】
【特許文献１】  特開２００４−１９８１１８号公報
【発明の概要】
【発明が解決しようとする課題】
【０００４】福島第一原子力発電所で起きたような地震や津波による事故などにより原子炉等の冷却作業が難航して水素爆発を起こし、原子炉建屋が崩壊して放射性物質が拡散すること。また、電源の喪失などにより原子炉建屋内に設置されている使用済み核燃料プールの冷却ができなくなれば過酷な原発事故になること。
【課題を解決するための手段】
【０００５】原子炉建屋を円柱形にし、建屋上部の冷却水貯蔵プールと建屋下部の原子炉格納容器および使用済み核燃料プール設置場所を一体型に構成して地下に建設することにより、地震や津波による事故を最小限に防止し、電源が喪失した場合や水道本管が損傷して使用できなくなった場合でも給水車やヘリコプター等から非常用マンホールに冷却水を送って建屋上部の冷却水貯蔵プールへ冷却水を供給し、高低差を利用し重力を動力として長期的でも建屋下部の原子炉格納容器および使用済み核燃料プールへ冷却水を送り、冷却を続行することで原発事故を防いで外部への放射性物質の拡散を防止する。
【発明の効果】
【０００６】              放射性物質の漏出事故で新しく原子力発電所を建設することが困難になるが、冷却を続行することで設備等を復旧し、安全に冷却できることで安心して発電所を建設して利用できる効果がある。
【図面の簡単な説明】
【０００７】
【図１】本発明に係る新原子炉建屋断面図。
【発明を実施するための形態】
【０００８】原子炉建屋を円柱形にし、建屋上部の冷却水貯蔵プールと建屋下部の原子炉格納容器および使用済み核燃料プール設置場所を一体型に構成して地下に建設する。また、建屋上部に非常用マンホールを設けて電源が喪失した場合や水道本管が損傷して使用できなくなった場合でも給水車やヘリコプター等から前記非常用マンホールに冷却水を送って建屋上部の冷却水貯蔵プールに冷却水を供給し、高低差を利用し重力を動力として長期的でも建屋下部の原子炉格納容器および使用済み核燃料プールへ冷却水を送る。
【産業上の利用可能性】
【０００９】原子炉建屋上部の冷却水貯蔵プールと原子炉建屋下部の原子炉格納容器等の設置場所を一体型に構成して地下に建設することにより、地震や津波による事故を最小限に防止し、電源が喪失した場合や水道本管が損傷して使用できなくなった場合でも給水車やヘリコプター等から非常用マンホールに冷却水を送って建屋上部の冷却水貯蔵プールへ冷却水を供給し、重力を動力として長期的でも建屋下部の原子炉格納容器および使用済み核燃料プールへ冷却水を送り、冷却を続行することで原発事故を防いで外部への放射性物質の拡散を防止する。
【符号の説明】
【００１０】      １．換気口
２．非常用マンホール
３．出入り口
４．地面
５．給水用水道本管
６．冷却水貯蔵プール
７．開口部
８．冷却水連結パイプ
９．原子炉建屋躯体
１０．原子炉格納容器および使用済み核燃料プール設置場所
１１．エレベータースペース・階段スペース・発電用設備パイプスペース
１２．地下出入り口
１３．外部への排水管・給水管
１４．発電用および設備用パイプスペースおよびトンネル
【手続補正３】
【補正対象書類名】図面
【補正対象項目名】全図
【補正方法】変更
【補正の内容】
【図１】
2012202988.tif 000004
(57)【要約】      （修正有）【課題】発電の操作をできるだけ簡単に行なう。【解決手段】蒸気タービンに送る蒸気圧が異状に高くなった時、焼料棒を制御棒体で包み込み温度を下げ正常位に戻す。それをほとんど自動的に行ない人は監視業務に近い状態にし安全に操作を行なえるようにする為に、自動水道弁を使い高圧容器内の水位で正常に発電する。焼料棒は制御棒Ｃにはほとんど作用される事なく正常に発熱し水道管ａからの水を蒸気に変え管Ｚを通じて発電用タービンに送る。発電用容器内の蒸気圧が異常に高くなり、水位がＷの位置に下がり燃料棒を制御棒体で包み込んだ状態になり、この状態では焼料棒の核反応物質が制御棒体によってほとんど吸収され、おさえられ熱核反応がほとんど反応しなくなる。【選択図】図４
2012202986.tif 000002
【特許請求の範囲】
【請求項１】
発電容器内の蒸気圧が異状に高くなると自動的に制御棒体がかぶさる発電容器
【発明の詳細な説明】
【考案の詳細な説明】
従来今迄の発電容器は操作が複雑で１つのミスが全体のミスに繋がりかねない操作がありました。
それをほとんど自動的に行ない人は監視業務に近い状態にし安全に操作を行えるようにする為に、
図１と図２に有る、示した自動水道弁を使い高圧容器内の水位図３の（Ｖ）で正常に発電されます。
焼料棒Ｂは、制御棒（Ｃ）にはほとんど作用される事なく正常に発熱し（ａ）からの水を蒸気に変え管（Ｚ）を通じて発電用タービンに送ります。
発電用容器内の蒸気圧が異状に高くなり水位が図４の（Ｗ）の位置に下がり焼料棒を制御棒体で包み込んだ状態になりこの状態では焼料棒を核反応物質が制御棒体によって、ほとんど吸収され、おさえられ熱核反応がほとんど反応しなくなり蒸気圧が下がり水位（Ｗ）は水道管（ａ）により、水道出口弁（ウ）により、徐々に水位図３の（Ｖ）に戻ります。
【考案の効果】
炉内の蒸気圧が異状に高くなると浮袋に連動した制御棒体が下がり燃料棒を包み込むような形になり制御棒が燃料棒の核反応を抑え、発熱を抑え、蒸気圧が下がり、水道水ａにより水位がＶの位置に上がり正常発電に戻ります。
【図面の簡単な説明】図１、図２、図３、図４は本案の説明略図です。
図１、図２は共通した部分が多い図で、
（ア）は浮き玉
（イ）は水の水位位置
（ウ）は浮き玉と連動した水道出口用弁
（エ）は水道本管
図３、図４は共通した部分が多い説明略図で
（Ｘ）は発電用蒸気発生容器
（Ｙ）は蒸気発生容器内の内側の筒型大型管型容器
（Ｚ）は発電用タービンに通じる蒸気出口管
（ａ）は図１、図２で説明された水道管
（Ｊ）は発電用容器のフタ
（Ｎ）は制御棒と連動した浮袋
（Ｂ）は金属ウラン焼料棒
（Ｃ）は上部と下部とで厚さの違う制御棒と、つつみｃｄ体
図３の
（Ｖ）は発電が平正常の時の容器内の水位の位置
図４の
（Ｗ）は発電容器内の蒸気圧が異状に高くなり上った時の容器内の水位の位置です。
【図１】
2012202986.tif 000003
【図２】
2012202986.tif 000004
【図３】
2012202986.tif 000005
【図４】
2012202986.tif 000006
(57)【要約】【課題】分散性と保存安定性に優れ、かつ黒酢の濃度を高めることができる黒酢粉末の製造法を提供する。【解決手段】市販の黒酢を真空濃縮し、濃縮黒酢を準備する。濃縮は、真空濃縮で行うことができる。濃縮した黒酢は固形分濃度が６５乃至８５質量％である。市販の米粉を焙煎する。あるいは焙煎した米を粉砕して米粉にする。準備した濃縮黒酢と焙煎した米粉とを調合する。調合は黒酢に対し米粉を５０乃至９５質量％混合する。調合した黒酢米粉混合物を熱風乾燥後、粉砕する。粉砕は、好ましくは８０メッシュパスの粉状まで行う。粉砕後、包装し、黒酢粉末製品とする。【選択図】なし【特許請求の範囲】
【請求項１】
濃縮した黒酢と焙煎した米粉とを混合後、乾燥することを、特徴とする黒酢粉末の製造法。
【請求項２】
前記黒酢は固形分濃度が６５乃至８５質量％であり、前記黒酢に対し前記米粉を５０乃至９５質量％混合することを、特徴とする請求項１記載の黒酢粉末の製造法。
【発明の詳細な説明】
【技術分野】
【０００１】
本発明は、黒酢粉末の製造法に関する。
【背景技術】
【０００２】
黒酢を用いた粉末状食品が知られている。黒酢粉末は、分散性と保存安定性に優れたものが求められている。従来、蒸発残分が１０％以上になるよう濃縮された黒酢に米粉（膨化されているものを除く）を添加した後、凍結乾燥処理を行う黒酢粉末の製造方法が開示されている（例えば、特許文献１参照）。
【先行技術文献】
【特許文献】
【０００３】
【特許文献１】特許第３７２００２８号公報
【発明の概要】
【発明が解決しようとする課題】
【０００４】
しかしながら、特許文献１に記載の黒酢粉末の製造方法では、黒酢の固形分換算量に対して１．５倍量以上の米粉を添加する必要がある。このため、黒酢の濃度が低いという課題があった。
【０００５】
本発明は、このような課題に着目してなされたもので、分散性と保存安定性に優れ、かつ黒酢の濃度を高めることができる黒酢粉末の製造法を提供することを目的としている。
【課題を解決するための手段】
【０００６】
上記目的を達成するために、本発明に係る黒酢粉末の製造法は、濃縮した黒酢と焙煎した米粉とを混合後、乾燥することを、特徴とする。
黒酢と混合する米粉を焙煎しておくことにより、黒酢がペースト状とならずに米粉によく分散し、混合される。製造した黒酢粉末は、保存安定性に優れる。
【０００７】
前記黒酢は固形分濃度が６５乃至８５質量％であり、前記黒酢に対し前記米粉を５０乃至９５質量％混合することが好ましい。黒酢の固形分濃度を高めることにより、製品の黒酢の濃度を高めることができる。また、焙煎した米粉を用いることにより、米粉に対する黒酢濃度を高めることができる。
【０００８】
黒酢は、米を１年以上かけて発酵、熟成させた酢である。黒酢は、市販のものを用いることができる。黒酢の濃縮には、加熱濃縮、真空濃縮、凍結濃縮、膜濃縮、その他公知の濃縮方法を単独であるいは組み合わせて用いることができる。米粉は、米を製粉したものであり、上新粉、もち粉、道明寺粉、落雁粉、寒梅粉、白玉粉、求肥粉、乳児粉、その他市販の米粉を用いることができる。本発明において、米糠も米粉の範疇に含まれる。米粉は、白米粉、玄米粉、赤米粉、黒米粉、またはそれらの２以上の混合物であってもよい。赤米粉または黒米粉を用いることにより、黒酢と混合したとき色が濃く黒酢粉末らしい色の製品とすることができる。
【０００９】
焙煎した米粉は、米を焙煎してから粉状にしたものであっても、米粉を焙煎したものであってもよいが、米を焙煎してから粉砕して粉状にしたものがより好ましい。焙煎する場合の米は、玄米でも精米でもよいが、玄米がより好ましい。米粉を焙煎する場合、米粉を前乾燥させてから焙煎することが好ましい。焙煎は、例えば、撹拌機付き直火釜で行うことができる。焙煎は、米または米粉に対し１００乃至１５０℃、特に１２０乃至１３０℃の温度で行うことが好ましい。１２０乃至１３０℃で焙煎した場合、１２０℃より低い温度で焙煎する場合に比べて、米または米粉のデンプンをアルファ化しやすく、黒酢を分散させやすくなる。焙煎は、米または米粉がきつね色になる程度に行うことが好ましい。その場合、黒酢と混合したとき色が濃く黒酢粉末らしい色の製品とすることができる。混合後の乾燥は、熱風乾燥、真空乾燥、蒸気乾燥、赤外線乾燥、凍結乾燥、その他公知の乾燥方法を単独であるいは組み合わせて用いることができる。乾燥後の黒酢米粉混合物は、粉砕することが好ましい。
【００１０】
本発明において製造した黒酢粉末には、コーンスターチ・じゃがいも粉・きな粉・小麦粉・その他の食用粉類、糖類粉末、コラーゲン粉末、酵母粉末、その他の粉状食品を添加してもよい。製造した黒酢粉末は、そのまま食品として利用されても、他の飲食品に添加して利用されてもよい。
【発明の効果】
【００１１】
本発明によれば、分散性と保存安定性に優れ、かつ黒酢の濃度を高めることが可能な黒酢粉末の製造法を提供することができる。
【発明を実施するための形態】
【００１２】
以下、図面に基づき、本発明の実施の形態について説明する。
まず、黒酢を準備する。黒酢は、原料米を一次発酵、二次発酵、ろ過、調合、ろ過、加熱殺菌、容器充填の順で処理し製造することができる。こうして製造された市販の黒酢を真空濃縮し、濃縮黒酢を準備する。濃縮は、真空濃縮で行うことができる。また、焙煎した米粉を準備する。米粉には、玄米を製粉したものを用いることができる。準備した玄米その他の米を焙煎後、粉砕して粉状にする。あるいは、準備した市販の米粉を焙煎する。焙煎は、１２０乃至１３０℃の温度で行う。準備した濃縮黒酢と焙煎した米粉とを調合する。調合した黒酢米粉混合物を熱風乾燥後、粉砕する。粉砕は、好ましくは８０メッシュパスの粉状まで行う。粉砕後、包装し、黒酢粉末製品とする。
【実施例１】
【００１３】
市販の黒酢をＢｒｉｘ７５％まで真空濃縮した。市販の玄米粉を一昼夜乾燥させ、撹拌機付き直火釜により５乃至１０分間、１２０乃至１３０℃できつね色になる程度に焙煎した。玄米粉は、通常の米を粉砕したものと、赤米を粉砕したものとを準備した。焙煎した玄米粉を放冷し、袋詰めした。濃縮した黒酢６０ｋｇと、焙煎した玄米粉４５ｋｇとを混合し、２日間熱風乾燥させた。乾燥後、８０メッシュパスの粉状に粉砕し、アルミ袋に密封して製品とした。製造した黒酢粉末は、玄米粉によく分散し、保存安定性に優れたものであった。
【実施例２】
【００１４】
市販の黒酢をＢｒｉｘ７５％まで真空濃縮した。市販の玄米を撹拌機付き直火釜により５乃至１０分間、１２０乃至１３０℃できつね色になる程度に焙煎した。焙煎した玄米を粉砕して米粉を製造した。濃縮した黒酢８．７５ｋｇと米粉６．５０ｋｇとを混合し、２日間熱風乾燥させた。乾燥後、８０メッシュパスの粉状に粉砕し、アルミ袋に密封して製品とした。製造した黒酢粉末は、米粉によく分散し、保存安定性に優れたものであった。
(57)【要約】【課題】  ケイ素の摂取は、レバやホウレン草を摂ることで出来るが、レバ等は癖のある味なので摂取することを嫌う傾向にある。それ以外には、ケイ素の固形物や純度の高いケイ素液を服用することもできるが、保管管理や服用準備に手間がかかる。そこで、ケイ素の補給が手軽に安全に出来る事を課題とする。【解決手段】  課題を解決するため、飲料水に純度の高いケイ素の液体を０．０１％から２．００％混入し、ケイ素を含んだ飲料水を提供する。【選択図】図１
2012044980.tif 000002
【特許請求の範囲】
【請求項１】
飲料水に無色・無臭・無味の純度（濃度）の高いケイ素の液体を混入することを特徴とする飲料水。
【請求項２】
ビン、カン、ペットボトル、ウオーターサーバーボトルなどの器で手軽に飲料水として、経口できる特徴がある。
【請求項３】
純度の高いケイ素の液体を飲料水（清涼飲料水、牛乳なども含む）で薄めたケイ素濃度で種類を分けて、ケイ素入り飲料水を製造することで、ケイ素補給を必要とする人（ケイ素を多く必要とする人、日常的に少量のケイ素を補給する人など）の調整が可能となる。
【発明の詳細な説明】
【技術分野】
【０００１】  この発明は、無色・無臭・無味の純度（濃度）の高いケイ素の液体を飲料水に薄めてケイ素入り飲料水として、経口し体内に補給する。
【背景技術】
【０００２】  従来のケイ素の補給は、ケイ素を混入した固形物（サプリメント）としていた。しかし、これは固形物なので補給しにくい物であった。【０００３】  また、液体の純度の高いケイ素液もあるが、そのままでは飲めない。【０００４】  この発明は、市販する飲料水を製造の段階で、純度（濃度）の高いケイ素の液体を、０．０１％から２．００％混入し、ケイ素入りの飲料水を製造し、何時でも何処でも手軽に、ケイ素を補給できる発明である。
【発明の概要】
【発明が解決しようとする課題】
【０００５】  ケイ素の摂取は、レバやホウレン草を摂ることで出来るが、レバ等は癖のある味なので摂取することを嫌う傾向にある。それ以外には、ケイ素の固形物や純度の高いケイ素液を服用することもできるが、保管管理や服用準備に手間がかかる。
そこで、ケイ素の補給が手軽に安全に出来る事を課題とする。
【課題を解決するための手段】
【０００６】  以上の課題を解決するために、飲料水に純度の高いケイ素の液体を０．０１％から２．００％混入し、ケイ素を含んだ飲料水を提供する。
また、ケイ素液を飲料水で薄めた濃度で区分けして、ケイ素入り飲料水の種類を区別して製造する。
【発明の効果】
【０００７】  この発明により、ケイ素の準備の手間が無くなり、ケイ素入り飲料水として、そのまま、経口出来るので、簡単に適量のケイ素の補給が可能となる。
【図面の簡単な説明】
【図１】  本発明の斜視図である。
【発明を実施するための形態】
【０００８】  飲料水タンク（１）には、飲料水（４）が入っている。この飲料水をケイ素入り飲料水の容器（３）に注入する。
この飲料水（４）の成分は、一般的に市販されている飲料水と同一のもので製造例を挙げた。飲料水（４）の成分は、他にも水道水を浄化・ろ過した水、各地域の地下水、ケイ素以外の栄養分を含んだミネラルウォーター、清涼飲料水、牛乳、栄養補給ドリンク剤などの飲み物（飲料水）である。
【０００９】  ケイ素液タンク（２）には、純度の高いケイ素液（５）が入っている。このケイ素液体をケイ素入り飲料水の容器（３）に注入する。この時の純度の高いケイ素液（５）の量は、飲料水（４）に対する割合は、０．０１％から２．００％の量で注入（混入）する。
【００１０】  前記の飲料水とケイ素液の混ぜる順番は、この発明には関係ない。この発明は、前記の要領でケイ素液と飲料水を混入することに意味がある。
【００１１】  ケイ素入り飲料水の容器（３）には、０．０１％から２．００％のケイ素入り飲料水（７）が出来上がる。
【実施例】
【００１２】  ケイ素入り飲料水の容器（３）は、ビン、カン、ペットボトル、ウオーターサーバーボトルなどの器を利用し、手軽にケイ素入り飲料水（７）が口径できる。【００１３】  純度の高いケイ素液（５）を飲料水（４）で薄めた濃度で区分けして、ケイ素入り飲料水０．０１％、ケイ素入り飲料水０．１％、ケイ素入り飲料水０．５％、ケイ素入り飲料水２％等のようにケイ素濃度で種類を分けて、ケイ素入り飲料水（７）を製造する。種類分けすることで、ケイ素補給を必要とする人（ケイ素を多く必要とする人、日常的に少量のケイ素を補給する人など）の調整が可能となる。【００１４】  この飲料水（４）は、コーヒーやお茶等のように味のある飲みやすい成分を利用することで、更なる飲みやすさが追求できる発明である。
飲料水（４）の成分は、他にも水道水を浄化・ろ過した水、各地域の地下水、ケイ素以外の栄養分を含んだミネラルウォーター、清涼飲料水、牛乳、栄養補給ドリンク剤などの飲み物（飲料水）である。
【符号の説明】
【００１４】１      飲料水タンク
２      ケイ素液タンク
３      ケイ素入り飲料水の容器
４      飲料水
５      純度の高いケイ素液
６      ケイ素入り飲料水の容器の出入口
７      ケイ素入り飲料水
【図１】
2012044980.tif 000003
(57)【要約】【課題】庭の雑草処理や、ガーデニング、家庭菜園での雑草処理において、除草剤使用時の薬剤事故、鎌の刃の部分による怪我などを防ぐ為の道具を提供する。【解決手段】今まであまり経験が無い方でも比較的短時間で操作が出来る道具なので薬剤による刺激や薬剤事故、本品には危険な刃の部分が無い為取り扱いによる事故なども防ぐ事が出来、小さな子供も安全に参加する事が出来て楽しい時間を親子で共有出来る事を特徴とする。【選択図】図１
2012044979.tif 000002
【特許請求の範囲】
【請求項１】
雑草の根を残さずに簡単に抜ける様に加工を施した小型シャベル。
【請求項２】
追加部品を利用する事で利用範囲を広くした製品。
【発明の詳細な説明】
【技術分野】
【０００１】本発明は、最近増えているガーデニングをする多くの人が使用する小型シャベルの一部に切れ込みと、梃子の支点になる部分を作り、雑草を根から引き抜く時にあまり力を必要としないで、雑草の根から抜ける小型シャベルに関する物である。
【背景技術】
【０００２】従来、雑草を処理するのに除草剤などが、多く使用されていたが、その使用を出来るだけ避けて、環境に悪い影響を及ぼさない様にする考え方が多くなってきています、特に女性の場合、肌、その他人体に悪影響が大きい除草剤は出来るだけ使用を控えたいところです、その為に雑草を出来るだけ楽な方法で処理する方法が求められています、本品はその考え方に沿って雑草の処理が楽に行える様に考えられた物である。【０００３】現在、使用されている鎌などは土の上の部分を刈り取るだけで土の中に隠れている雑草の根っこはそのまま残ってしまい、すぐにまたそこから雑草が成長してしまうので努力が無駄になってしまいます、そこで考えられたのが本品で根の部分を引き抜き易くする事で問題の解決に役立つ物である。
【発明の開示】
【発明が解決しようとする課題】
【０００４】出来るだけ雑草を少なくする為に、今までは除草剤の使用が多く行われていますが、ペットを飼っている場合や、ガーデニングで家庭菜園などを始める場合、体の健康やペットの健康などの為にも除草剤の使用を止める人が多くなっています、そこで、出来るだけ楽に雑草の処理を行う方法として考えたのが、雑草の根から抜ける小型シャベルである。
【課題を解決する為の手段】
【０００５】本発明は、花や、野菜の苗を植え替える時などに使う小型シャベルの先端に切れ込みを作り、梃子の支点になる部分を付ける事で少ない力でしかも土の下に隠れている根っこも引き抜くことが出来、しかも付属の部品を使う事で芝生のように土の部分が奥になる場合などの為に根を抜く切れ込み部分を長く差し込むよう治具を取り付けられる様にして、色々な使用状況に対応出来る物である。
【発明の効果】
【０００６】今までのガーデニングなどでは雑草処理の為に鎌などが必要で、花や、野菜などの植え替え時には小型シャベルも必要になる事が多くありますが本品を使う事で二つ必要な道具が一つで済む為に、二つの道具をそろえる煩わしさがなくなる。
【０００７】本品では、鎌の様に雑草を切り取る為の刃の部分が必要でない為に、刃の部分で怪我をする事がなくなり安心して作業が出来る様になり、また、鎌は使用状態により刃の向きを保つ為にかなりの握力を必要とします、本品はその様な事が殆どなく作業も大変楽になる。
【０００８】雑草は出来るだけ伸びない小さい時に抜いた方が効果的ですが、小さいと指先に力が必要になり、摘み難く大変ですが本品はその様な力は殆ど必要としないので、まだ小さな雑草も簡単に処理出来、その問題を解決で解決出来る。
【発明を実施するための最良の形態】
【０００９】以下、本発明を実施するための最良の形態について図１から図５に基づいて説明する。【００１０】（４）は雑草を引き抜き易くする為にスリットを作り、芝生のなかの雑草を取り除く為に追加する治具（６）を取り付ける為の穴加工を施す。【００１１】（２）は雑草を引き抜く時に梃子の原理であまり力を必要としなくても良い様に梃子の支点をを作る。【００１２】（６）は芝などの様に土の部分が見えにくい様な場所の雑草を取りやすくする為にシャベルの先端を長くして抜きやすい様にする物である。【００１３】この部品は取り外しが出来シャベルの利用範囲を広げる事が出来る。
【図面の簡単な説明】
【００１４】
【図１】本発明の基本形態上面図
【図２】本発明の基本形態側面図
【図３】追加部品装着時の上面図
【図４】追加部品の上面図
【図５】追加部品の側面図
【符号の説明】
【００１５】１      本体部
２      梃子の働きをする部分
３      持ち手の部分
４      雑草を根から引き抜く為に設けたスリット部分
５      追加部品取り付け用の部分
６      追加部品の取り付けた様子
７      追加部品の固定用部分
【図１】
2012044979.tif 000003
【図２】
2012044979.tif 000004
【図３】
2012044979.tif 000005
【図４】
2012044979.tif 000006
【図５】
2012044979.tif 000007
(57)【要約】【課題】食品添加物を使用せず、風味や食感を維持し、使用素材の栄養価の減少を極力抑え、外側はサクサク中はしっとりとした食感の焼菓子の製造方法【解決手段】野菜や果実などの素材のもつ栄養価、風味を生かした状態で生地を製造し、図２に示す焼き方によりゲル化剤などの食品添加物を使用せずに外はサクサク中はしっとりとした食感を実現する。【選択図】図２
2012044977.tif 000002
【特許請求の範囲】
【請求項１】
野菜粉末を入れ小麦粉や乳製品を使わずにクッキーやビスケットとは違った焼菓子で外側はサクサク中はしっとりとした食感の新しい焼菓子の製造方法
【請求項２】
香料、化学調味料、保存料、着色料を入れずに風味と食感を安定させる焼菓子の製造方法
【請求項３】
製造過程におけるレシピにおいて、小麦粉の代わりにショートニングや大豆粉、米粉などを使いそこに野菜粉末、ジャム、ジュースなどを入れその栄養成分を極力損なわないように製造する焼菓子の製造方法
【発明の詳細な説明】
【技術分野】
【０００１】  本発明は、通常、クッキーなどの焼菓子で使われる小麦粉やバターなどの乳製品類を使わずに野菜粉末や大豆粉などを中心に製造し、外面はサクサク中はしっとりとした食感を有する栄養機能性食品の焼菓子。
【背景技術】
【０００２】  しっとりとした食感をだすためには、油分と水分量との比率が重要になってくるがゲル化剤などの添加物を使用することによりしっとりとした食感を維持していた（例えば、特許文献１参照。）。
【先行技術文献】
【特許文献１】  特許公開２００６−８１５１６号公報
【発明の概要】
【発明が解決しようとする課題】
【０００３】  しかしながら、しっとりとした食感をだすためには、油分と水分量との比率が重要になってくるがゲル化剤などの添加物を使用することによりしっとりとした食感を維持する方法は、ゲル化剤などの食品添加物を必要とするため栄養機能性への懸念が残る。【０００４】  本発明は上記事情を考慮し、栄養機能性を保持しなおかつ体に優しく安全で安心な焼菓子を製造する方法を提供することを目的とする。
【課題を解決するための手段】
【０００５】  本発明は、上記課題を解決するため、以下の手段を採用する。
本発明に係るしっとりとした食感は製造過程における果実や野菜からの水分また、なたね油などの油分を利用し、生地の製造過程及び焼き方で解決する。【０００６】  また、本発明に係る外側のサクサクとした食感と中がしっとりとした食感を達成しなおかつ栄養面においてもその機能性を損なわず製造できることを特徴とする。
【発明の効果】
【０００７】  本発明によれば、食感、栄養機能面において満足できる焼菓子を製造することができる。
【発明を実施するための最良の形態】
【０００８】  本発明に係る実施形態について、図１及び図２を参照して説明する。
本実施形態による生地の製造方法は、大豆粉、米粉などの生地の主成分となる素材に、図１に示すように、果実や野菜を５ｍｍサイズに切ったものを混練し、そこに野菜粉末を生地全体の２８％を入れることで実現する。【０００９】  また、しっとり感をだすために生地の生成後、米粒大くらいの大きさに砕いた氷を生地の間に挟み込むように入れる。（図１−０１）【００１０】  氷を挟み込んだ生地を氷が生地表面に出ないように注意しながら、厚さ１センチから２センチの間になるよう平らに伸ばす。（図１−０２）【００１１】  次に、生地を２℃の温度で２４時間寝かせる。【００１２】  焼く工程に入る１時間前に生地を常温で寝かる。その間に生地を幅２センチから４センチ×長さ４センチから８センチに切る。【００１３】  焼工程では、オーブンの温度を１８０℃の低温に設定する。【００１４】  スチームの効果を出すために耐熱性の容器に５０ｍｌの水を用意する。（図２−０１）【００１５】  用意した水の入った容器と生地をオーブン内に並べ２０分焼く。【００１６】  焼いた後、オーブンから焼きあがった菓子を取り出し７℃の温度で８８時間冷ます。
【産業上の利用可能性】
【００１７】  不必要な食品添加物を加えることなく、簡単に外がサクサク中がしっとりとした食感で、低温で焼き上げることで栄養面での機能性の減少も最小限に抑えることができ、素材そのものの風味と味を生かすことができる焼菓子ができることから、一般の消費者においしく安全な焼菓子が提供できる。
【図面の簡単な説明】
【００１８】
【図１】本発明の外がサクサク中はしっとりとさせるための生地の製造方法の図である。
【図２】本発明の栄養面の機能性の減少を極力抑えるための製造方法を示す図である。
【符号の説明】
【００１９】Ａ  生地に砕いた氷を挟み込み、平らにする（厚さ１センチから２センチ）
Ｂ  生地を切る（幅２センチから４センチ長さ４センチから８センチ）
【図１】
2012044977.tif 000003
【図２】
2012044977.tif 000004
(57)【要約】      （修正有）【課題】今までのマロンモンブランは、小さくて量も少なく食材を用意するだけでも手間がかかり疲れたため資源の少ないマロンから、サツマイモやカボチャを用いて、資源の多い食材へと変えることによる新種のモンブランを提供する。【解決手段】従来のマロンに換えて、サツマイモやかぼちゃ、バナナにすることによって食材が大きくなり手間もあまりかからなくなる。【効果】食材のサイズが変わることで、今まで以上に安価で大量のモンブランが作れる。新しいモンブランの食材はマロンモンブランにも似た食感を楽しめる。【選択図】なし【特許請求の範囲】
【請求項１】
本発明は、新種モンブランの発明です。サツマイモモンブラン、紫サツマイモモンブラン、カボチャモンブラン、バナナモンブラン、ずんだモンブランの発明です。マロンモンブランの代わりに使われます。
【請求項２】
今までのマロンモンブランは、とれる量が少なく、とりだすのにとても時間がかかった。サツマイモ、カボチャ、バナナを使う事によって、取れるモンブランの量が多量になり、作る人の負担も少なくなる。
【請求項３】
新種モンブランは、主にモンブランケーキに使われるが、サツマイモモンブランパン、団子、まんじゅうの中にも使われる。洋菓子、和菓子、菓子パンなど。
【請求項４】
「モンブランだけ」と、アンコ入りサツマイモモンブラン、あんこ入りかぼちゃモンブラン、あんこ入りバナナモンブランもある。
【請求項５】
他に、モンブランの中に、生クリーム、カスタードクリーム等を練りこんだものもある。
【請求項６】
サツマイモモンブラン、紫サツマイモモンブラン、カボチャモンブラン、バナナモンブラン、ずんだモンブラン、変わった、サツマイモとマロンの混じったモンブラン、
以上が含まれる、
「ケーキ、洋菓子、和菓子、タルト、シュークリーム、クレープ、マドレーヌ、パン、クッキー、団子、まんじゅう」のおかしとパンの特許。
（例１）                                  （例２）
さつまいもモンブランケーキ                カボチャモンブランケーキ
さつまいもモンブランシュークリーム        カボチャモンブランシュークリーム
さつまいもモンブランタルト                カボチャモンブランタルト
さつまいもモンブランパン                  カボチャモンブランパン
さつまいもモンブラン団子                  カボチャモンブラン団子
さつまいもモンブランまんじゅう            カボチャモンブランまんじゅう
【請求項７】
サツマイモモンブラン、紫サツマイモモンブラン、カボチャモンブラン、バナナモンブラン、ずんだモンブランに混ぜて使われる「クリーム」
（例１）紫さつまいもで説明すると
紫さつまいもモンブラン  カスタードクリーム
紫さつまいもモンブラン  チョコクリーム、ホワイトチョコクリーム
紫さつまいもモンブラン  ココアクリーム、コーヒークリーム、ティークリーム
紫さつまいもモンブラン  抹茶クリーム
紫さつまいもモンブラン  いちごクリーム
紫さつまいもモンブラン  ミルククリーム、バニラクリーム
紫さつまいもモンブラン  あんこクリーム（つぶ、こし、ねり、白あん）
紫さつまいもモンブラン  チョコあんこクリーム
紫さつまいもモンブラン  ずんだクリーム（等）
ケーキ、クレープ、パン、洋菓子、和菓子に使われます。
【請求項８】
サツマイモモンブラン、紫サツマイモモンブラン、カボチャモンブラン、バナナモンブラン、ずんだモンブランの使われる「パン、菓子パン」
（例１）さつまいもで説明すると
さつまいもモンブラン  カスタードクリーム「パン」
さつまいもモンブラン  クリーム「パン」
さつまいもモンブラン  チョコクリーム「パン」
さつまいもモンブラン  コーヒークリーム「パン」
さつまいもモンブラン  チョコあんこ「パン」
さつまいもモンブラン  あんこ「パン」
さつまいもモンブラン  ジャム「パン」等色々
【請求項９】
サツマイモモンブラン、紫サツマイモモンブラン、カボチャモンブラン、バナナモンブラン、ずんだモンブランの使われる「和菓子」
（例１）紫さつまいもで説明すると
紫さつまいもモンブラン  団子、まんじゅう
紫さつまいもモンブラン  チョコ団子、まんじゅう
紫さつまいもモンブラン  チョコあんこ団子、まんじゅう
チョコあんこ団子、チョコあんこまんじゅう（つぶ、こし、白あん）
【請求項１０】
サツマイモモンブランの作り方（４人分）
サツマイモ        中２〜３本
砂糖              ６０グラム
生クリーム        ５０ＣＣ
ラム酒            大１
▲１▼サツマイモは洗って皮をむき、１センチくらいの輪切りにしてたっぷりのお湯でゆでる
▲２▼竹串通るくらいにゆでたら、熱いうちに木べらで裏ごしする。
▲３▼裏ごしした芋と砂糖を鍋に入れて火にかけ、木べらでよく混ぜながら練る。
▲４▼鍋を火から下ろして生クリームとラム酒を加え混ぜ、ポテトペーストを仕上げる。
▲５▼ケーキやお菓子、パンに使う。
【発明の詳細な説明】
【技術分野】
【０００１】  本発明は、新種モンブランの発明です。ケーキとシュークリーム、パン、洋菓子、和菓子、団子とまんじゅう等のお菓子に使われます。
チョコあんこ団子、チョコあんこまんじゅう等は、チョコとあんこを混ぜたものです。
サツマイモジャムは、砂糖と相性のいいサツマイモのジャムです。
【背景技術】
【０００２】  今までのモンブランはマロンモンブランが主だった。
【発明の開示】
【発明が解決しようとする課題】
【０００３】  資源の少ないマロンから、資源の多い食材へと変わること。サツマイモやカボチャは、味もおいしくて、マロンに変わる食材として使用されると思う。
【発明が解決するための手段】
【０００４】  今までのマロンの小さな食材から、サツマイモ等の大きな食材にかえること。
【発明の効果】
【０００５】  食材のサイズが変わることで、今まで以上に安価で大量のモンブランが作れる。
【発明を実施するための最良の形態】
【０００６】ケーキだけではなく、タルト、クレープ、菓子パン、和菓子と色々なおやつにこのモンブラン使うと、新商品のおやつを沢山作れる。
【実施例】
【０００７】ケーキ屋、パン屋、和菓子屋、お菓子屋で普通に販売する。
【産業上の利用可能性】
【０００８】サツマイモモンブラン、紫サツマイモモンブラン、カボチャモンブラン、バナナモンブラン、は日本だけではなく外国のケーキ屋や、お菓子屋にも受け入れられるお菓子になると思う。
【図面の簡単な説明】
【０００９】
【図１】  さつまいもモンブランケーキの一例の図
【図２】  カボチャモンブランケーキの一例の図
【図３】  新種モンブランのパンの一例の図
【図１】
2012044978.tif 000002
【図２】
2012044978.tif 000003
【図３】
2012044978.tif 000004
(57)【要約】【課題】各家庭での発電システムは整備されず、また世界人口の数％に満たない人口しか発電による生活様式が得られていない。また現在の発電方法は原子力発電、火力発電など地球規模の環境破壊と生態系の崩壊を加速度的に速めている。【解決手段】電磁波による太陽光を発電源とし、電磁波により磁気を帯びる容易に入手できる金属板を電流源とする。そして導線を通った電流を逆起電力を伴うソレノイドに流し、電気回路を形成する。【選択図】図１
2012044127.tif 000002
【特許請求の範囲】
【請求項１】
電磁波である太陽光、電磁波により磁気を受ける金属板、導線、ソレノイドの組み合わせにより電気回路を作り、ソレノイドの逆起電力を有効利用する発電方法。
【発明の詳細な説明】
【技術分野】
【０００１】この発明は、電磁波である太陽光により磁性体である金属と逆起電力を生じるソレノイドによる発電に関する。
【背景技術】
【０００２】従来の太陽光発電は技術的に加工が複雑で、発電効率や、耐久年数などに問題がある。
【先行技術文献】
【特許文献】
【０００３】
【非特許文献】
【０００４】
【非特許文献１】加藤正昭著  「電磁気学」  東京大学出版
【発明の概要】
【発明が解決しようとする課題】
【０００５】  しかしながら、以上に技術によれば生産コスト、生産技術、管理維持費、生産資源など多くの無駄と浪費を生じ、世界人口の数％に満たない人口にしか行き渡らない。
そこで、この発明は、世界に広く分布している金属を板状に加工し導線とソレノイドをつなげ太陽光に直接当てることで発電する極めて単純かつ、貧困とされる途上国でも容易に電力を得る方法を提供することを課題とする。
【課題を解決するための手段】
【０００６】  以上の課題を解決するために、第一発明は地球規模の加速する砂漠化と温暖化、異常気象、生態系破壊とう、様々な問題を防ぐことを目的とし、その土地の資源をその土地の人々が利用し、電力を得る仕組みを提供する。その過程でこのシステムの使用者は植樹を促進しバイオマス社会の再生を急務とする。
【発明の効果】
【０００７】  第一発明によれば電力の供給源は太陽光であり、化石燃料を用いず、生態系の循環の維持を可能にする。
【図面の簡単な説明】
【図１】この発明の一実施形態を示す略式図である
【発明を実施するための形態】
【０００９】  この発明の一実施形態を図１に示す
発電機の本体は太陽光の電磁波により磁気を帯びる金属を板状に加工したもの１であり、導線２とソレノイド３を含む電気回路を形成した物である。
【００１０】「実施形態の効果」
この実施形態によれば太陽光が照射する余地があれば、住宅の屋根や砂漠地帯など様々な場所に設置可能である。
「他の実施形態」
図１の実施形態では、ソレノイドの巻き数、金属板の物質、厚さ、面積とうは明記されていない。他の実施形態では、金属のプレートは化合物なども用いたものでもよい。
【符号の説明】
【００１１】１  金属板    ２  導線    ３  ソレノイド
【図１】
2012044127.tif 000003
(57)【要約】【課題】複数な太陽電池直列からなる追尾型太陽光発電装置において、太陽電池直列間の日影の影響を避けて、最適なモーター位置を決める必要がある。【解決手段】追尾直線方向に沿って、太陽電池直列の上部と下部にセンサーを取り付ける。あらかじめ決められた時間範囲内において、モーターを動かし太陽電池直列の物理的な下部にいるセンサーに日影の末端位置を検出し、太陽電池直列の傾く位置を設定する。【選択図】図１
2012044126.tif 000002
【特許請求の範囲】
【請求項１】
追尾型太陽光発電装置において、日影を検出するシステム。
【請求項２】
太陽電池直列の周囲に日影を検出するセンサーを設置する構造。
【請求項３】
時計制御とセンサー制御による太陽電池直列の日影の末端を検出する方法。
【請求項４】
モーター制御による太陽電池直列の日影の末端を探索する方法。
【請求項５】
複数枚の太陽電池直列の日影の末端から最適な太陽電池アレイの傾きを決める方法。
【請求項６】
上記１、２、３、４、５請求項を用いてすべての制御プログラム。
【請求項７】
上記１、２、３、４、５、６請求項を用いてすべての日影検出センサー、及び太陽光発電装置。
【発明の詳細な説明】
【技術分野】
【０００１】本発明は、太陽の移動を追尾する太陽光発電システムである。
【背景技術】
【０００２】環境問題の深刻化及び化石燃料の埋蔵量危機により、様々な自然エネルギーの利用が注目される。その中に、ソーラー発電は環境にやさしい無尽蔵な新エネルギーとして大規模に展開されている。ソーラー発電装置を設置するにあたって、太陽電池直列の日影の影響を避けるため、多い土地と空間が必要とされる。
【先行技術文献】
【０００３】今まで、太陽光発電の高効率を得るため、さまざまな追尾型太陽光発電装置が開発されている。しかし、より効率な土地利用を追及するには、通常な追尾型太陽光発電装置においては、太陽電池直列の日影の影響が出る。
【発明の概要】
【発明が解決しようとする課題】
【０００４】複数な太陽電池直列からなる追尾型太陽光発電装置において、太陽電池直列間の日影の影響を避けて、最適なモーター位置を決める必要がある。
【課題を解決するための手段】
【０００５】そこで、本発明は時計制御とセンサー制御を結合し、日影の影響を避けて、最適な太陽電池直列の傾く位置を決めるシステムと制御方法を提供する。
【発明の効果】
【０００６】追尾直線方向に沿って、太陽電池直列の上部と下部にセンサーを取り付ける。あらかじめ決められた時間範囲内において、モーターを動かし太陽電池直列の物理的な下部に居るセンサーに日影の末端位置を検出し、太陽電池直列の傾く位置を設定する。
【図面の簡単な説明】
【０００７】
【図１】本発明の応用例
【図２】本発明の制御プロセス例
【発明を実施するための形態】
【０００８】以下、本発明の実施の形態について説明する。
（イ）太陽電池直列の上部と下部にセンサーを取付ける。
（ロ）地理条件を合わせて時計制御を設定する。
（ハ）追尾直線方向にて二分法によりモーターを移動する。
（ニ）太陽電池直列の物理的な下部に居るセンサーに日影の末端位置を探し出す。
（ホ）それ以外のセンサー入力条件を合わせて、ファージモデルにより最適な太陽電池直列の傾きを決める。
（ヘ）最適な太陽電池直列の傾きまでモーターを動かす。
【符号の説明】
【０００９】１：日影検出センサー１
２：日影検出センサー２
３：太陽電池
４：モーター機構部
【図１】
2012044126.tif 000003
【図２】
2012044126.tif 000004
(57)【要約】【課題】本発明は、放熱効果が向上されたＬＥＤパッケージを提供することである。【解決手段】本発明に係るＬＥＤパッケージは、基板と、前記基板に設置されている少なくとも１つのＬＥＤチップと、前記ＬＥＤチップを封止する封止部材と、前記封止部材に設置されているレンズとを備え、前記レンズの非光学区域には、空気対流スルーホールが開設されている。【選択図】図１
2012044172.tif 000002
【特許請求の範囲】
【請求項１】
基板と、前記基板に設置されている少なくとも１つのＬＥＤチップと、前記ＬＥＤチップを封止する封止部材と、前記封止部材に設置されているレンズとを備え、前記レンズの非光学区域には、空気対流スルーホールが開設されていることを特徴とするＬＥＤパッケージ。
【請求項２】
前記空気対流スルーホールは、前記レンズの下側縁部に形成されていることを特徴とする請求項１に記載のＬＥＤパッケージ。
【請求項３】
前記空気対流スルーホールは、レンズの外側縁と内側縁とを貫通していることを特徴とする請求項２に記載のＬＥＤパッケージ。
【発明の詳細な説明】
【技術分野】
【０００１】
本発明は、ＬＥＤパッケージに関し、特にＬＥＤ固体光源の放熱構造に関するものである。
【背景技術】
【０００２】
ＬＥＤ光源は、高輝度、低消費電力等の利点を有するので、照明装置として応用されている。ＬＥＤ光源から生成された熱量を効果的に放熱するため、一般的にはＬＥＤ光源に放熱装置を設置する必要がある。
【０００３】
従来のＬＥＤパッケージにおいて、放熱装置としては導線によって連結された基板があり、ＬＥＤ光源から生成された熱量は、前記基板を介して外界へ放熱される。従って、放熱効果は、選択される基板の材料及び放熱面積によって決定される。ＬＥＤ光源において、前記基板として、通常印刷回路基板、金属放熱基板及びセラミック基板等が採用される。一方、ＬＥＤ光源におけるレンズは、放熱部材として作用できない。
【発明の概要】
【発明が解決しようとする課題】
【０００４】
本発明の目的は、放熱効果を向上できるＬＥＤパッケージを提供することである。
【課題を解決するための手段】
【０００５】
本発明に係るＬＥＤパッケージは、基板と、前記基板に設置されている少なくとも１つのＬＥＤチップと、前記ＬＥＤチップを封止する封止部材と、前記封止部材に設置されているレンズとを備え、前記レンズの非光学区域には、空気対流スルーホールが開設されている。
【発明の効果】
【０００６】
本発明に係るＬＥＤパッケージにおいて、レンズに開設されている空気対流スルーホールが、基板と協働して更に放熱させるので、放熱効果は大幅に向上される
【図面の簡単な説明】
【０００７】
【図１】本発明に係るＬＥＤパッケージの断面図である。
【図２】図１に示したＬＥＤパッケージのレンズの断面図である。
【図３】図２に示したＬＥＤパッケージのレンズの局部拡大図である。
【発明を実施するための形態】
【０００８】
以下、図面を参照しながら、本発明の実施形態について説明する。
【０００９】
図１を参照すると、本発明に係るＬＥＤパッケージ１０は、基板１４と、前記基板１４に設置されている少なくとも１つのＬＥＤチップ１２と、前記ＬＥＤチップ１２を封止する封止部材１６と、前記封止部材１６に設置されているレンズ１８と、を備える。前記ＬＥＤチップ１２から生成された熱量は、前記基板１４に直接伝導する。さらに、前記基板１４にその他の放熱装置を連接させて、放熱効果を向上させることができる。具体的には、図１に示すように、前記基板１４に放熱フィン１４２を連接させることで、放熱面積を増加させる。そして、前記レンズ１８の非光学区域（ｏｐｔｉｃａｌ  ｎｏｎ−ｅｆｆｅｃｔｉｖｅ  ａｒｅａ：出光作用をしない区域）には、空気対流スルーホール１８０が開設されている。本実施形態において、前記空気対流スルーホール１８０は、前記レンズ１８の下側縁部に形成され、前記レンズ１８の外側１８２と前記レンズ１８の内側１８４とを貫通している。従って、前記レンズ１８の内側１８４及び外側１８２は、前記空気対流スルーホール１８０の空隙によって連通されている。
【００１０】
前記空気対流スルーホール１８０の直径はミクロンサイズであり、前記空気対流スルーホール１８０の数量は複数であり、且つ前記空気対流スルーホール１８０は前記レンズ１８の下側縁部に均一に分布されている。本実施形態において、前記空気対流スルーホール１８０の数量は３個〜２０個である。また、前記レンズ１８の構造強度に影響を与えないよう、前記空気対流スルーホール１８０の数量は２５個を超えない。
【００１１】
また、前記空気対流スルーホール１８０の直径をナノサイズまで縮小させることもできる。ナノサイズの空気対流スルーホール１８０は、直径が非常に小さいので、前記レンズ１８の下側縁部に開設される空気対流スルーホール１８０の数量を大幅に向上させることができ、それらの分布は更に均一化され、且つ前記レンズ１８の構造強度に更に影響を与えない。また、ナノサイズの空気対流スルーホール１８０は、肉眼で見えないので、前記レンズ１８の外観にも影響しない。
【００１２】
前記ＬＥＤパッケージ１０が作動する時、熱量は前記基板１４を介して放熱されるほかに、前記レンズ１８の空気対流スルーホール１８０によっても放熱される。前記封止部材１６は前記ＬＥＤチップ１２に直接に接触しているので、前記封止部材１６を伝導する熱量は、前記空気対流スルーホール１８０を介して前記レンズ１８の内側と外側との間で熱交換が行われ、前記レンズ１８の内部の熱量を外部の空気に放熱することができる。従って、放熱効果が大幅に向上される。
【００１３】
本発明に係るＬＥＤパッケージ１０において、レンズ１８に開設されている空気対流スルーホール１８０が、基板１４と協働して更に放熱させるので、放熱効果は大幅に向上される。
【符号の説明】
【００１４】
１０  ＬＥＤパッケージ
１２  ＬＥＤチップ
１４  基板
１６  封止部材
１８  レンズ
１４２  放熱フィン
１８０  空気対流スルーホール
１８２  外側縁
１８４  内側縁
【図１】
2012044172.tif 000003
【図２】
2012044172.tif 000004
【図３】
2012044172.tif 000005